(57)【要約】【課題】残留肥料排出作業を軽作業化するとともに、残留肥料の排出作業を効率良く行うこと。【解決手段】走行装置の後方に植付装置を連結すると共に、走行装置に設けた座席の背後に左右幅方向に伸延する施肥装置を載設した施肥装置付き乗用田植機において、前記施肥装置は、その伸延方向に沿わせて連設した複数の繰り出し部及び各繰り出し部に連通連設したホッパー部を具備する可動側施肥部と、走行装置に固定した固定側施肥部とを備えて、前記可動側施肥部は、隣接するホッパー部同士を連通させるとともに、一側端部に位置するホッパー部の外側壁にホッパー部内に残留する肥料を排出するための排出部を設け、前記可動側施肥部と前記固定側施肥部との間には移動機構を介設するとともに、移動機構は、可動側施肥部を外側方へ移動偏倚自在となして、移動偏倚された可動側施肥部が自重で傾動して排出部を下方へ指向させるように構成した。【選択図】図７
2011217624.tif 000002
【特許請求の範囲】
【請求項１】
走行装置の後方に植付装置を連結すると共に、走行装置に設けた座席の背後に左右幅方向に伸延する施肥装置を載設した施肥装置付き乗用田植機において、
前記施肥装置は、その伸延方向に沿わせて連設した複数の繰り出し部及び各繰り出し部に連通連設したホッパー部を具備する可動側施肥部と、走行装置に固定した固定側施肥部とを備えて、
前記可動側施肥部は、隣接するホッパー部同士を連通させるとともに、一側端部に位置するホッパー部の外側壁にホッパー部内に残留する肥料を排出するための排出部を設け、
前記可動側施肥部と前記固定側施肥部との間には移動機構を介設するとともに、移動機構は、可動側施肥部を外側方へ移動偏倚自在となして、移動偏倚された可動側施肥部が自重で傾動して排出部を下方へ指向させるように構成したことを特徴とする施肥装置付き乗用田植機。
【請求項２】
前記移動機構は、前記可動側施肥部を前記固定側施肥部に対して接続・分離させる接続・分離機構部と、固定側施肥部から分離された可動側施肥部を外側方へ移動偏倚させる移動偏倚機構部とを具備して、
前記接続・分離機構部の外側端部に移動偏倚機構部の中途部を枢支して枢支部となし、その枢支部を支点として偏倚された可動側施肥部が自重で傾動するように構成したことを特徴とする請求項１記載の施肥装置付き乗用田植機。
【請求項３】
前記接続・分離機構部は、前記可動側施肥部を上昇させて前記固定側施肥部から分離させるとともに、可動側施肥部を下降させて固定側施肥部に接続させる昇降機構体と、昇降機構体に連動連設した踏み込み操作体とを具備して、踏み込み操作体の踏み込み操作に昇降機構体の上昇動作を連動させたことを特徴とする請求項２記載の施肥装置付き乗用田植機。
【発明の詳細な説明】
【技術分野】
【０００１】
施肥装置を傾倒させることで、施肥装置に残留している肥料を排出させるようにした施肥装置付き乗用田植機に関する。
【背景技術】
【０００２】
従来、施肥装置付き乗用田植機の一形態として、走行装置の後方に植付装置を連結すると共に、走行装置に設けた座席の背後に施肥装置を載設したものがある。かかる乗用田植機では、植付装置による苗の植付作業と施肥装置による肥料の施肥作業を同時に行うことができるようにしている。
【０００３】
そして、施肥装置は、左右幅方向に複数の繰り出し部を連設し、各繰り出し部には複数のホッパー部をそれぞれ連通連設して構成している。各ホッパー部内に収容した肥料は各繰り出し部を通して繰り出すようにしている。
【０００４】
また、一側端部に位置するホッパー部の外側壁には、ホッパー部内に残留する肥料を排出するための排出部を設けている。そして、施肥装置は、排出部側に回動支点を設けて、反対側を持ち上げることで傾動可能としている。
【０００５】
このようにして、施肥装置は、一側端部を持ち上げて傾動させることで、傾斜姿勢となすことができるようにしている。そして、傾斜姿勢の下端側に位置する排出部を開放させることで、左右幅方向に連通する各ホッパー部内に残留している肥料を、排出部を通して排出することができるようにしている。
【先行技術文献】
【特許文献】
【０００６】
【特許文献１】特開２００９−６５９０４
【発明の概要】
【発明が解決しようとする課題】
【０００７】
ところが、前記した施肥装置付き乗用田植機では、残留肥料を排出する作業として、施肥装置の一側端部を人力により持ち上げて傾斜姿勢となす必要性があるが、体力に劣る婦女子や老人にとっては施肥装置が重量物であるため、かかる残留肥料排出作業が重作業（重労働）となっている。
【０００８】
そこで、本発明は、上記課題を解決すべく、体力に劣る婦女子や老人でも楽に施肥装置を傾動させて残留肥料排出作業を行うことができる施肥装置付き乗用田植機を提供することを目的とする。
【課題を解決するための手段】
【０００９】
本発明は、課題を解決するための手段として、次のように構成したことを特徴とする。
【００１０】
請求項１記載の発明に係る施肥装置付き乗用田植機は、走行装置の後方に植付装置を連結すると共に、走行装置に設けた座席の背後に左右幅方向に伸延する施肥装置を載設した施肥装置付き乗用田植機において、前記施肥装置は、その伸延方向に沿わせて連設した複数の繰り出し部及び各繰り出し部に連通連設したホッパー部を具備する可動側施肥部と、走行装置に固定した固定側施肥部とを備えて、前記可動側施肥部は、隣接するホッパー部同士を連通させるとともに、一側端部に位置するホッパー部の外側壁にホッパー部内に残留する肥料を排出するための排出部を設け、前記可動側施肥部と前記固定側施肥部との間には移動機構を介設するとともに、移動機構は、可動側施肥部を外側方へ移動偏倚自在となして、移動偏倚された可動側施肥部が自重で傾動して排出部を下方へ指向させるように構成したことを特徴とする。
【００１１】
かかる施肥装置付き乗用田植機では、可動側施肥部が自重で傾動して傾斜姿勢を採るとともに、排出部を下方へ指向させることができる。そのため、ホッパー部内に残留する肥料を傾斜方向に滑動させて排出部から排出することができる。したがって、残留肥料の排出作業を効率良く行うことができる。しかも、可動側施肥部を傾斜姿勢となす操作負担を軽減することができて、残留肥料排出作業を軽作業化することができる。残留肥料排出作業が終了した後は移動機構を反対の手順を辿りながら操作することで、可動側施肥部は楽に復元される。
【００１２】
請求項２記載の発明に係る施肥装置付き乗用田植機は、請求項１記載の発明に係る施肥装置付き乗用田植機であって、前記移動機構は、前記可動側施肥部を前記固定側施肥部に対して接続・分離させる接続・分離機構部と、固定側施肥部から分離された可動側施肥部を外側方へ移動偏倚させる移動偏倚機構部とを具備して、前記接続・分離機構部の外側端部に移動偏倚機構部の中途部を枢支して枢支部となし、その枢支部を支点として偏倚された可動側施肥部が自重で傾動するように構成したことを特徴とする。
【００１３】
かかる施肥装置付き乗用田植機では、移動機構が具備する接続・分離機構部と移動偏倚機構部を協働させることで堅実に可動側施肥部を傾動させることができて、排出部から残留肥料を排出することによる残留肥料排出作業の効率化と軽作業化を同時に実現することができる。
【００１４】
請求項３記載の発明に係る施肥装置付き乗用田植機は、請求項２記載の発明にかかる施肥装置付き乗用田植機であって、前記接続・分離機構部は、前記可動側施肥部を上昇させて前記固定側施肥部から分離させるとともに、可動側施肥部を下降させて固定側施肥部に接続させる昇降機構体と、昇降機構体に連動連設した踏み込み操作体とを具備して、踏み込み操作体の踏み込み操作に昇降機構体の上昇動作を連動させたことを特徴とする。
【００１５】
かかる施肥装置付き乗用田植機では、残留肥料排出作業における操作を、踏み込み操作体への踏み込み操作と、踏み込み操作に伴って固定側施肥部から分離された可動側施肥部を外側方へ移動偏倚させる操作だけにとどめることができる。ここで、踏み込み操作は踏み込み操作体を足で踏み込むだけの楽な作業であり、また、移動偏倚操作は可動側施肥部を外側方へスライドさせる楽な作業である。その後は、可動側施肥部が自重で傾動して排出姿勢である傾斜姿勢を採るため、作業者の肉体的負担は大幅に軽減することができる。その結果、体力に劣る婦女子や老人でも作業者として残留肥料排出作業を軽快に行うことができる。
【発明の効果】
【００１６】
本発明は次の効果を奏する。すなわち、本発明では、可動側施肥部と固定側施肥部との間に、可動側施肥部が自重で傾動して傾斜姿勢を採るとともに、排出部を下方へ指向させることができる移動機構を介設しているため、肉体労働である残留肥料排出作業の肉体的負担を大幅に軽減することができる。したがって、可動側施肥部を傾動させることで排出部から残留肥料を排出することによる残留肥料排出作業の効率化と軽作業化を同時に実現することができる。
【図面の簡単な説明】
【００１７】
【図１】乗用田植機の左側面図。
【図２】施肥装置の接続姿勢における断面右側面説明図。
【図３】施肥装置の分離姿勢における断面右側面説明図。
【図４】施肥装置の接続姿勢における正面説明図。
【図５】施肥装置の分離姿勢における正面説明図。
【図６】施肥装置の移動偏倚姿勢における正面説明図。
【図７】施肥装置の傾斜姿勢における正面説明図。
【図８】排出部の正面断面説明図。
【図９】繰り出し部の部分側面断面説明図。
【図１０】ガスケットの側面断面図。
【発明を実施するための形態】
【００１８】
図１に示すＡは、本発明に係る施肥装置Ｍを装備する乗用田植機である。乗用田植機Ａは、図１に示すように、牽引車としての走行装置１の後方に昇降機構２を介して植付装置３を昇降自在に取り付けている。そして、走行装置１の後部に施肥装置Ｍを載設している。かかる乗用田植機Ａは、圃場内を走行しながら複数（本実施形態では８条）の苗の植付作業並びに施肥作業を行うようにしている。
【００１９】
走行装置１は、図１に示すように、前部に配設したミッションケース１０と後部に配設したリヤアクスルケース１１との間に、前後方向に伸延する連結フレーム１２を介設して車体フレーム１３を形成している。ミッションケース１０には左右一対の前車輪１４を連動連結している。リヤアクスルケース１１には左右一対の後車輪１５を連動連結している。連結フレーム１２上にはエンジン１６等からなる原動機部１７を搭載して、エンジン１６にミッションケース１０を連動連結している。これら車体フレーム１３と原動機部１７の上方には車体カバー体１８を被覆状に張設している。車体カバー体１８上の前部にはハンドルコラム２０を立設し、ハンドルコラム２０の上端面部にハンドル２１を取り付けている。車体カバー体１８上の中途部には座席２２を載設している。座席２２の後方である車体カバー体１８上の後部には施肥装置Ｍを載設している。
【００２０】
植付装置３は、植付ミッションケース３０の上方に支持フレーム３１を介して苗載台３２を前高後低の傾斜姿勢にて左右方向に往復摺動自在に配設している。植付ミッションケース３０の下方にはフロート３３を配設している。３４はフロート３３に取り付けた作溝器であり、作溝器３４は圃場を作溝して多数（本実施形態では８条）の条溝を形成し、各条溝に施肥装置Ｍから間欠的に繰り出される肥料を放出（施肥）するようにしている。
【００２１】
昇降機構２は、昇降リンク３５と昇降シリンダとローリングシリンダ（これらは図示せず）を具備して、昇降機構２により走行装置１の後方に植付装置３を前後方向の軸線廻りにローリング自在かつ昇降自在に連結している。
【００２２】
施肥装置Ｍは、図１〜図７に示すように、一方向（本実施形態では左右方向）に伸延する支持フレーム部４０にその伸延方向に沿わせて複数（本実施形態では８個）の繰り出し部５０を取り付け、各繰り出し部５０の上端開口部には複数（本実施形態では６個）のホッパー部６０をそれぞれ連通連設する一方、各繰り出し部５０の下端開口部には複数（本実施形態では６個）の施肥ホース部７０（図１参照）をそれぞれ連通連結している。
【００２３】
ここで、各繰り出し部５０は、図２及び図３に示すように、前記した支持フレーム部４０に取り付けた下部側繰り出し体５１と、後述する各ホッパー部６０に連通連設した上部側繰り出し体５２とに分離・接合自在に形成している。
【００２４】
そして、支持フレーム部４０と下部側繰り出し体５１と施肥ホース部７０とで固定側施肥部８０を形成している。また、一側（本実施形態では左側）に配置した複数（本実施形態では４個）のホッパー部６０同士を隣接方向に一体的に連通連設し、各ホッパー部６０の下端部に各上部側繰り出し体５２を連通連設して一側可動側施肥部としての左側可動側施肥部８１を形成している。一方、他側（本実施形態では右側）に配置した複数（本実施形態では４個）のホッパー部６０同士を隣接方向に一体的に連通連設し、各ホッパー部６０の下端部に各上部側繰り出し体５２を連通連設して他側可動側施肥部としての右側可動側施肥部８２を形成している。また、両可動側施肥部８１,８２の外側端部には、それぞれ内部に残留する肥料を排出するための排出部９０,９０を設けている。
【００２５】
左側可動側施肥部８１は、支持フレーム部４０との間に移動機構１００を介設している。また、右側可動側施肥部８２も、支持フレーム部４０との間に別個の移動機構１００を介設している。なお、左側可動側施肥部８１と右側可動側施肥部８２は同様に構成して左右線対称に配設している。そこで、以下に施肥装置Ｍの左側半部の構成について説明して、右側半部の構成の説明は省略する。
【００２６】
移動機構１００は、図２〜図７に示すように、左側可動側施肥部８１を固定側施肥部８０に対して接続・分離させる接続・分離機構部１１０と、固定側施肥部８０から分離された左側可動側施肥部８１を外側方へ移動偏倚させる移動偏倚機構部１２０とを具備している。接続・分離機構部１１０は、左側可動側施肥部８１を上昇させて固定側施肥部８０から分離させるとともに、左側可動側施肥部８１を下降させて固定側施肥部８０に接続させる昇降機構体１１１と、昇降機構体１１１に連動連設した踏み込み操作体１１２とを具備している。そして、踏み込み操作体１１２の踏み込み操作に昇降機構体１１１の上昇動作を連動させている。接続・分離機構部１１０の外側端部には移動偏倚機構部１２０の中途部を枢支して枢支部１２１となしている。そして、枢支部１２１を支点として外側方（左側方）へ移動偏倚自在に偏倚された左側可動側施肥部８１は、自重で傾動して排出部９０を下方へ指向させるようにしている。
【００２７】
より具体的に説明すると、固定側施肥部８０はその基部を支持フレーム部４０が形成している。すなわち、支持フレーム部４０は、前後方向に長手状に形成した左右一対の取付体４１上に、左右方向に直状に伸延する前後一対の下部フレーム形成体４２を横架している。両下部フレーム形成体４２に左右一対の板状フレーム形成体４３の下側面部を架設状に取り付けて起立状となしている。両板状フレーム形成体４３の前・後上側面部間に、左右方向に直状に伸延する前後一対の上部フレーム形成体４４を横架して立体枠状に形成している。４５は左右方向に直状に伸延する円管状の圧送風ダクトであり、圧送風ダクト４５の左側端にはブロワー等の圧送風供給部（図示せず）を連通連設している。
【００２８】
前後一対の上部フレーム形成体４４には接続・分離機構部１１０を取り付けている。すなわち、接続・分離機構部１１０は、前後一対の上部フレーム形成体４４にそれぞれ前後一対の昇降機構体１１１を介してスライド支持体１１３を取り付けている。そして、図２及び図４に示すように、スライド支持体１１３を上部フレーム形成体４４に近接させた下降位置（ａ）と、図３及び図５に示すように、スライド支持体１１３を上部フレーム形成体４４から上方へ離隔させた上昇位置（ｂ）とに位置変更自在としている。
【００２９】
各昇降機構体１１１は、上部フレーム形成体４４に上下方向に伸延する複数（本実施形態では３本）の昇降アーム１１４の基端部を左右方向に間隔を開けて枢軸１１５を介して枢支している。
【００３０】
スライド支持体１１３は、左右方向に伸延する横長四角形枠状の支持本片１１６と、支持本片１１６の前後側縁部からそれぞれ立ち上げて形成した前後側の立ち上げ片１１７と、前後側の立ち上げ片１１７の外側端部（左側端部）にフック状に形成した係合片１１８とを具備している。そして、前後一対の昇降機構体１１１を形成する昇降アーム１１４の先端部に連結ピン１１９を介してスライド支持体１１３の一部を形成する前後側の立ち上げ片１１７を連結している。
【００３１】
踏み込み操作体１１２は、最内側に位置する昇降アーム１１４の基端部に左右方向に伸延させて形成したペダルアーム１３０の基端部を連設している。そして、ペダルアーム１３０の先端部にペダル１３１を取り付けている。このようにして、ペダル１３１を上方から下方へ踏み込み操作すると、両昇降機構体１１１を介してスライド支持体１１３が下降位置（ａ）から上昇位置（ｂ）まで上昇するようにしている。１３２はペダルアーム係止片であり、ペダルアーム係止片１３２は踏み込み操作したペダルアーム１３０を係止して、スライド支持体１１３を上昇位置（ｂ）に保持するようにしている。
【００３２】
移動偏倚機構部１２０は、図２〜図４に示すように、左右方向に伸延する横長四角形枠状の機構部本片１２２と、機構部本片１２２の前後側縁部からそれぞれ立ち上げて形成した前後側の立ち上げ片１２３と、前後側の立ち上げ片１２３の内側部と中途部にそれぞれ取り付けたスライド片１２４,１２５とを具備している。そして、前後側の立ち上げ片１２３は、スライド支持体１１３の一部を形成する前後側の立ち上げ片１１７の内側に配置するとともに、前後側の立ち上げ片１１７の上端縁部間にスライド片１２４,１２５を介して左右方向にスライド自在に架設している。
【００３３】
上記のように構成した移動偏倚機構部１２０に左側可動側施肥部８１を取り付けて、移動偏倚機構部１２０を介して左側可動側施肥部８１を外側方（左側方）へ移動可能としている。そして、中途部のスライド片１２５は、図６に示すように、スライド支持体１１３の係合片１１８に係合して、枢支部１２１を形成するようにしている。ここで、中途部のスライド片１２５は、左側可動側施肥部８１の左右重心位置よりも内側方（右側方）の位置に取り付けている。そうすることで、枢支部１２１では、図７に示すように、左側可動側施肥部８１が自重で傾動して、その外側端部（左側端部）に設けた排出部９０が下方を指向するようにしている。そして、後述するように、排出部９０を開放することで、左側可動側施肥部８１のホッパー部６０内に残留する肥料を楽に排出することができるようにしている。また、残留肥料排出作業が終了した後は移動機構１００を反対の手順を辿りながら操作することで、左側可動側施肥部８１は楽に復元される。
【００３４】
次に、排出部９０について具体的に説明する。すなわち、排出部９０は、図７及び図８に示すように、外側端部（左側端部）に配置したホッパー部６０の外側壁（左側壁）６１に開口状に形成した排出口部６２と、排出口部６２の周縁部に沿わせて連設した収納枠体９１と、収納枠体９１に出し入れ自在に取り付けた排出案内体９２と、排出案内体９２を出し入れするために収納枠体９１を開閉蓋する内・外側開閉蓋体９３,９４とから構成している。そして、内側開閉蓋体９３と外側開閉蓋体９４は、排出案内体９２の基端開口縁部９５の外側方に位置させて収納枠体９１に開閉蓋自在に取り付けている。しかも、収納枠体９１内において、閉蓋した内側開閉蓋体９３と外側開閉蓋体９４との間に案内体収容空間９６を形成している。案内体収容空間９６内には排出案内体９２の基端開口縁部９５を除く残余の部分を折り畳み状態にて収納可能となしている。
【００３５】
排出口部６２は、ホッパー部６０の外側壁（左側壁）６１の周縁部をわずかに残す程度に大きく四角形に開口させて形成している。収納枠体９１は排出口部６２の周縁部に沿わせて四角形枠状に形成すると共に、案内体収容空間９６、すなわち排出案内体９２を収納する空間を確保可能な左右幅に形成している。
【００３６】
排出案内体９２は、柔軟性素材（例えば、ナイロン）により筒状に形成すると共に、排出口部６２の周縁部に沿わせて形成した収納枠体９１の内周縁部に基端開口縁部９５の外周縁部を連設している。従って、排出口部６２を形成したホッパー部６０と排出案内体９２とは収納枠体９１を介して連通している。そして、排出案内体９２は伸縮自在、本実施形態ではジグザグ状に折り畳むことで短縮状態となして排出案内体９２内に形成した案内体収容空間９６内に収納可能である。また、展開状に伸張させることで伸張状態となして、排出案内体９２の先端開口部９７の配設位置の自由度を確保することができる。すなわち、排出案内体９２を伸張状態にて垂下させた使用姿勢（図７参照）と折り畳み状態にて収納した不使用姿勢（図８参照）とに姿勢変更自在となしている。従って、図７に示す残留肥料Ｈの排出作業時には排出案内体９２を回収容器Ｋ内に向けて伸張状態に垂下させた使用姿勢となすことで、残留肥料Ｈを回収容器Ｋ内に堅実に回収することができる。また、排出作業が終了した後は、排出案内体９２を短縮状態に折り畳んで収納した不使用姿勢となすことで、排出案内体９２が後続の作業に支障となることがない。そのため、排出口部６２から排出される残留肥料Ｈの排出位置の自由度と排出作業の簡易性及び堅実性が高まって、排出作業性能が向上する。
【００３７】
内側開閉蓋体９３は、収納枠体９１の内周面に沿わせて四角形板状に形成して、収納枠体９１の下部に横架した枢軸９８に下縁部を連設している。枢軸９８は、前後方向に伸延させて収納枠体９１から前後に突出状に横架して枢支している。枢軸９８の突出一側端部には上方へ立ち上がり状に伸延する操作体９９を形成している。操作体９９の上端には収納枠体９１の側壁側に突出する係止片１４０を形成し、係止片１４０を収納枠体９１の側壁に設けた係止受け片１４１に係脱可能としている。枢軸９８の突出他側端部の周面には弾性付勢体としてのスプリング１４２（図２及び図３参照）を巻回して、同スプリング１４２により係止片１４０を係止受け片１４１に係止させる方向に弾性付勢している。このようにして、内側開閉蓋体９３は、起立姿勢にて収納枠体９１の内側を閉蓋する閉蓋姿勢（ｃ）と、横臥姿勢にて収納枠体９１の内側を開蓋する開蓋姿勢（ｄ）とに姿勢変更自在としている。そして、閉蓋姿勢（ｃ）では操作体９９の係止片１４０を収納枠体９１に設けた係止受け片１４１に係止させると共に、係止方向に係止片１４０をスプリング１４２により弾性付勢することで、内側開閉蓋体９３を閉蓋姿勢（ｃ）に保持することができる。また、開蓋姿勢（ｄ）にする際には、操作体９９の係止片１４０を収納枠体９１に設けた係止受け片１４１からスプリング１４２の弾性付勢力に抗して離脱させる（後退させて引き抜く）と共に、枢軸９８の軸線廻りに操作体９９を外側方へ回動させることで、内側開閉蓋体９３を開蓋姿勢（ｄ）である横臥姿勢となすことができる。
【００３８】
外側開閉蓋体９４は、収納枠体９１外周面に沿わせて四角形板状に形成した本体１５０と、本体１５０の周囲に沿わせて形成した縁部１５１とから形成している。そして、収納枠体９１の上縁部に本体１５０の上端縁部を枢支連結している。このようにして、外側開閉蓋体９４は、垂下姿勢にて収納枠体９１の外側を閉蓋する閉蓋姿勢（ｅ）と、上方へ跳ね上げた姿勢にて収納枠体９１の外側を開蓋する開蓋姿勢（ｆ）とに姿勢変更自在としている。ここで、閉蓋姿勢（ｅ）では、外側開閉蓋体９４の下側縁部１５２が、収納枠体９１の下面部１５３に設けた係止片１５４に係合する。
【００３９】
上記のように構成した内側開閉蓋体９３と外側開閉蓋体９４の間には案内体収容空間９６が形成されるようにして、案内体収容空間９６内に排出案内体９２を折り畳み状態にて収納可能となしている。すなわち、内側開閉蓋体９３を閉蓋姿勢（ｃ）となすことで、前記排出口部６２を閉塞すると共に収納枠体９１の内側を閉蓋することができる。この際、排出案内体９２の基端開口縁部９５を除く残余の部分を案内体収容空間９６側に配置することができる。そして、伸長状態の排出案内体９２を折り畳み状態となして、案内体収容空間９６内に収納する。続いて、外側開閉蓋体９４を閉蓋姿勢（ｅ）となす。このようにして、案内体収容空間９６内に排出案内体９２を構造簡易にしてコンパクトにかつ簡単に収納して不使用状態となすことができる。また、案内体収容空間９６内から排出案内体９２を引き出す際には上記した収納手順と反対の手順をたどることで簡単に引き出して使用状態となすことができる。しかも、排出部９０には内・外側開閉蓋体９３,９４を設けているため、排出部９０の閉蓋性を良好に確保することができる。
【００４０】
次に、繰り出し部５０について具体的に説明する。すなわち、各繰り出し部５０は、図２及び図３に示すように、前記した上部側繰り出し体５２と下部側繰り出し体５１とを、分離・接合自在に形成している。ここで、上部側繰り出し体５２は、直上方に配設したホッパー部６０に連通連設して、前記した左ないしは右側可動側施肥部８１,８２の一部を形成している。一方、下部側繰り出し体５１は、前記した支持フレーム部４０と後述する施肥ホース部７０とで固定側施肥部８０を形成している。また、図２及び図３に示すように、隣接するホッパー部６０,６０同士の側壁６３は大きく切り欠いて、側壁６３に左右方向に連通する連通口６４を形成している。
【００４１】
上部側繰り出し体５２は、搬入ケース１６０と機構ケース１６１と繰り出しケース１６２とを上下方向に順次連通連結して形成している。
【００４２】
搬入ケース１６０は、上下面が開口する四角形枠状に形成した上端接続片１６３と、上端接続片１６３の下端周縁から後下方へ向けて漸次縮径状に伸延させて漏斗状に形成したケース本片１６４とから形成している。そして、ホッパー部６０の下部形成体６５の下端開口部１６５に上端接続片１６３を嵌入させて接続している。また、ケース本片１６４の左右側面部は、略鉛直面となして、水平断面四角形状となしている。かかる搬入ケース１６０内には、ホッパー部６０から繰り出し部５０に肥料を自重で自然落下させて搬入する搬入路１６７を形成している。施肥作業後には、この搬入ケース１６０の搬入路１６７内に肥料が残留することがあり、この搬入路１６７内に残留した残留肥料を前記した排出部９０から簡単かつ堅実に、しかも、迅速に排出可能としている。
【００４３】
機構ケース１６１は、目皿１７０を収容する目皿収容ケース片１７１と、上記目皿１７０を繰り出し駆動させる駆動機構１７２を収容する駆動ケース片１７３とを具備している。目皿収容ケース片１７１は搬入ケース１６０の下端に前部を連通連設している。１７４は下端開口部である。駆動ケース片１７３は目皿収容ケース片１７１の中央部から上方へ突出状に形成して、搬入ケース１６０の背後に配置している。駆動ケース片１７３内に収容している駆動機構１７２は、上下方向に軸線を向けた繰り出し軸１７５を前高後低の傾斜姿勢にてその軸線廻りに回動自在に設けている。そして、繰り出し軸１７５の上端部にベベルギヤ１７６,１７６を介して繰り出し作動軸（図示せず）の中途部を連動連結している。また、繰り出し軸１７５の中途部には目皿１７０の回転中心部を取り付けている。
【００４４】
繰り出しケース１６２は、上記目皿収容ケース片１７１の下端開口部１７４に上端開口部１８０を着脱自在に連通連結している。そして、繰り出しケース１６２は上端開口部１８０から下方へ漸次縮径状の円形漏斗状に形成して、下端部に開口縁部としての円形の繰り出し口部１８１を形成している。繰り出し口部１８１の下端開口縁部には鍔状の上部側フランジ片１８２を形成している。１８３は繰り出し軸１７５の下端に取り付けた掻き落とし片である。
【００４５】
下部側繰り出し体５１は、前後方向に伸延する管状体１９０と、管状体１９０の上周面中途部に連通連設した接続体１９１とから形成している。そして、管状体１９０は前端部を前記圧送風ダクト４５の後周面中途部に連通連結している。また、管状体１９０は下周面中途部に取付片１９２を垂設し、同取付片１９２を介して後側の下部フレーム形成体４２に管状体１９０の中途部を取り付けている。
【００４６】
接続体１９１は、図９に示すように、上下面が開口する短幅筒状に形成して、管状体１９０の上周面中途部に下端開口縁部を連通連設している。そして、接続体１９１は、左側可動側施肥部８１の繰り出し姿勢において、上部側繰り出し体５２の繰り出しケース１６２と同軸的に接続されるように、上端開口縁部２０４を開口させている。１９３は接続体１９１の上端開口縁部２０４の外周面に形成した下部側フランジ片である。
【００４７】
このようにして、左側可動側施肥部８１を繰り出し姿勢となした際には、上部側繰り出し体５２の下端開口縁部と下部側繰り出し体５１の上端開口縁部とが上下方向に整合して、上部側繰り出し体５２の上部側フランジ片１８２と下部側繰り出し体５１の下部側フランジ片１９３とが後述するガスケット体１９５を介して上下に方向に対面して連通状態に接続されるようにしている。この際、各下部側繰り出し体５１が各上部側繰り出し体５２を下方から支持することになる。
【００４８】
前記上部側繰り出し体５２の繰り出し口部１８１に取り付けているシール材としてのガスケット体１９５について説明する。すなわち、ガスケット体１９５は、図９及び図１０に示すように、上部側繰り出し体５２の下端開口縁部に形成した上部側フランジ片１８２に装着されるリング状の装着体１９６と、下部側繰り出し体５１の上端開口縁部２０４に形成した下部側フランジ片１９３を離隔・密着自在に受けるリング状の受け体１９７とを具備している。そして、受け体１９７の受け面側には、同芯短幅筒状の内・外側密着片１９８,１９９を半径方向に間隔を開けて撓み変形自在に突設している。
【００４９】
より具体的に説明すると、本実施形態では装着体１９６と受け体１９７とをゴム素材（例えば、エチレンとプロピレン及び架橋用ジエンモノマーとの三元共重合体であるＥＰＤＭ）で一体成形することができる。すなわち、上端から下端に向けて漸次拡径させてスカート状に形成した本体２００の内周面において、上端周縁部にリング状の係止片２０１の外周縁部を一体に取り付けることで係止片２０１を本体２００の内方へ張り出し状となした装着体１９６を形成すると共に、中途部周縁部にリング状の受け体１９７の外周縁部を一体に取り付け、受け体１９７の受け面側（下面）に同芯短幅筒状の内・外側密着片１９８,１９９の上端周縁部を一体に取り付けている。内・外側密着片１９８,１９９はそれぞれ上端から下端に向けて漸次拡径するスカート状に形成して、本体２００内に配置すると共に本体２００と略平行状態となしている。
【００５０】
このようにして、左側可動側施肥部８１を繰り出し姿勢にした際には、上部側繰り出し体５２に装着したガスケット体１９５の本体２００が下部側繰り出し体５１の開口縁部を上方から被覆する。そして、内・外側密着片１９８,１９９が下部側繰り出し体５１の開口縁部によって、下方から押圧力を受ける。この際、内・外側密着片１９８,１９９はそれぞれ外方へ撓み変形して、各内・外側密着片１９８,１９９の内周面２０２,２０３が下部側繰り出し体５１の上端面２０６に面接触するようにしている。従って、繰り出し姿勢で連通する上・下部側繰り出し体５２,５１の接続部の密封性をガスケット体１９５で良好に確保することができる。また、左可動側施肥部の繰り出し姿勢と排出姿勢との姿勢変更時に、分離と接合を繰り返す上・下部側繰り出し体５２,５１の上・下端開口縁部２０５,２０４同士を保護することができると共に、密閉性を良好に確保することができる。
【００５１】
また、左側可動側施肥部７８が排出姿勢を採った場合には、前記上部側繰り出し体５２の下端開口縁部２０４に取り付けたガスケット体１９５の受け体１９７が、下部側繰り出し体５１の上端開口縁部から容易に離隔して、円滑に左側可動側施肥部７８を排出姿勢となすことができる。
【００５２】
上部側繰り出し体５２にガスケット体１９５を装着する際には、繰り出し口部１８１の下端外周縁部に形成した鍔状の上部側フランジ片１８２に、装着体１９６を装着する。この際、装着体１９６のリング状の係止片２０１が上部側フランジ片１８２の上周面に係止されて、係止片２０１の下周面と受け体１９７の上周面とで上部側フランジ片１８２の上・下周面を堅実に挟持する。従って、左側可動側施肥部８１を繰り出し姿勢から排出姿勢に頻繁に姿勢変更した際にも、ガスケット体１９５は上部側繰り出し体５２の上部側フランジ片１８２から容易に離脱することがない。
【００５３】
なお、ガスケット体１９５は、本実施形態では上記のように上部側繰り出し体５２の下端開口縁部２０５に装着したが、下部側繰り出し体５１の上端開口縁部２０４に装着することもできる。この場合はガスケット体１９５を上下反転させて使用することができる。
【００５４】
施肥ホース部７０は、図１に示すように、施肥ホース体７１の
基端を管状体１９０に接続用管体７２を介して着脱自在に接続すると共に先端をフロート３３に取り付けた作溝器３４に接続している。このようにして、管状体１９０から間欠的に圧送された肥料は、施肥ホース体７１を通して作溝器３４で作溝された条溝に施肥されるようにしている。
【符号の説明】
【００５５】
Ａ  乗用田植機
Ｍ  施肥装置
１  走行装置
２  昇降装置
３  植付装置
８０  固定側施肥部
８１  左側可動側施肥部
８２  右側可動側施肥部
９０  排出部
１００  移動機構
１１０  接続・分離機構部
１１１  昇降機構体
１１２  踏み込み操作体
１２０  移動偏倚機構部
【図１】
2011217624.tif 000003
【図２】
2011217624.tif 000004
【図３】
2011217624.tif 000005
【図４】
2011217624.tif 000006
【図５】
2011217624.tif 000007
【図６】
2011217624.tif 000008
【図７】
2011217624.tif 000009
【図８】
2011217624.tif 000010
【図９】
2011217624.tif 000011
【図１０】
2011217624.tif 000012